(57)【要約】【課題】力を加え続けなくとも１回で簡単かつスピーディーにまつ毛を上向きのカール形状に形成するビューラー構造を提供する。【解決手段】ビューラー構造は、ビューラー２０を含む。ビューラー２０は、互いに交差されて枢着されたメインアーム２１及びサブアーム２２と、メインアーム２１及びサブアーム２２に連動して挟む動作を行う上弧状板２３及び下弧状板２４とを含む。上弧状板２３と下弧状板２４との間には、弾性弧状パッドを有する挟持メイン部材２５が配設され、挟持メイン部材２５の底部には、枢着部２５４が設けられる。挟持メイン部材２５の頂面には、上弧状板２３に対応した押圧縁２５１が形成されている。下弧状板２４の溝部２４１中に挟持メイン部材２５が設置され、メインアーム２１及びサブアーム２２の操作によりビューラー２０がまつ毛に近づけられる。【選択図】図５
0003195063.tif 000002
【実用新案登録請求の範囲】
【請求項１】
ビューラーを含むビューラー構造であって、
ビューラーは、互いに交差されて枢着されたメインアーム及びサブアームと、メインアーム及びサブアームに連動して挟む動作を行う上弧状板及び下弧状板と、を含み、
上弧状板と下弧状板との間には、弾性弧状パッドを有する挟持メイン部材が配設され、挟持メイン部材の底部には、枢着部が設けられ、
挟持メイン部材の頂面には、上弧状板に対応した押圧縁が形成され、押圧縁の両側にはそれぞれ高めの前ガイド弧状面と、低めの後ガイド弧状面と、が突設され、下弧状板の溝部中に挟持メイン部材が設置され、メインアーム及びサブアームの操作によりビューラーがまつ毛に近づけられ、下弧状板を押動して上弧状板へ向けて移動させると、挟持メイン部材の前ガイド弧状面及び後ガイド弧状面が頂部の押圧縁に向かって移動し、高めの前ガイド弧状面は、力を受ける支持面を有し、低めの後ガイド弧状面は補助支持面を有し、まつ毛が押圧縁と下弧状板との間に挟まれるとカール状に形成されることを特徴とするビューラー構造。
【請求項２】
前記挟持メイン部材の押圧縁は、Ｖ字状溝を有することを特徴とする請求項１に記載のビューラー構造。
【請求項３】
前記挟持メイン部材の前ガイド弧状面及び後ガイド弧状面の両外側縁には、水平に延びた当接縁が延設され、挟持メイン部材の枢着部が下弧状板の溝部に枢着され、前ガイド弧状面及び後ガイド弧状面の２つの当接縁を介して溝部の両側壁端上に当接されることを特徴とする請求項１に記載のビューラー構造。
【考案の詳細な説明】
【技術分野】
【０００１】
本考案は、ビューラー構造に関し、特に、力を加え続けなくとも１回で簡単かつスピーディーにまつ毛を上向きのカール形状に形成するビューラー構造に関する。
【背景技術】
【０００２】
図１を参照する。図１に示すように、ビューラー１０は、ユーザーが握持するメインアーム１１及びサブアーム１２と、メインアーム１１及びサブアーム１２に連動して動作する上弧状板１３及び下弧状板１４と、を含み、下弧状板１４の溝部１４１には、位置規制ピン１４２が設けられている。上弧状板１３と下弧状板１４との間には、弾性を有する弧形状パッドの挟持メイン部材１５が配置されている。挟持メイン部材１５の頂部には、円弧状圧縁面１５１が突設され、底部下段にはテーパー状ステップが形成され、上段とともに段差が形成され、底面が有する複数の位置規制溝１５３の枢着部１５２により下弧状板１４の溝部１４１中に収容され、位置規制ピン１４２と位置規制溝１５３とが互いに枢着され、メインアーム１１及びサブアーム１２を握持して作動させると、下弧状板１４が上弧状板１３に対して作動し、挟持メイン部材１５と上弧状板１３とがまつ毛Ａの根本を挟むが、挟持メイン部材１５の弾性パッドの頂部が突設し、滑らかな円弧状圧縁面１５１が形成されているため、挟むときに上弧状板１３に対応したまつ毛Ａの根本を確実に挟むことは困難であり、挟持メイン部材１５の弾性パッドの頂部に突設された円弧面が跳ね上がってしまい（図１−１参照）、まつ毛のカールが十分でないため複数回（少なくとも３回以上）繰り返して挟まなければ、まつ毛Ａをカール形状にすることはできなかった。このように従来のビューラーでは、１回の挟む動作だけでまつ毛をカール形状に形成することができなかったため、従来技術の問題点を改善する技術が求められていた。
【考案の概要】
【考案が解決しようとする課題】
【０００３】
本考案の目的は、力を加え続けなくとも１回で簡単かつスピーディーにまつ毛を上向きのカール形状に形成するビューラー構造を提供することにある。
【図面の簡単な説明】
【０００４】
【図１】従来のビューラーを示す斜視図である。
【図１−１】従来のビューラーを実際に使用するときの状態を示す概略図である。
【図２】本考案の一実施形態に係るビューラー構造を示す分解斜視図である。
【図３】本考案の一実施形態に係るビューラー構造の挟持メイン部材を示す部分拡大図である。
【図４】本考案の一実施形態に係るデューラー構造の挟持メイン部材を示す断面図である。
【図５】本考案の一実施形態に係るビューラー構造の挟持メイン部材と下弧板とを組み合わせたときの状態を示す断面斜視図である。
【図６】本考案の一実施形態に係るビューラー構造を使用するときの状態を示す概略図（１）である。
【図７】本考案の一実施形態に係るビューラー構造を使用するときの状態を示す概略図（２）である。
【考案を実施するための形態】
【０００５】
図２〜図５を参照する。図２〜図５に示すように、本考案の一実施形態に係るビューラー構造は、ビューラー２０を含む。ビューラー２０は、互いに交差させて枢着し、互いに連動するメインアーム２１及びサブアーム２２と、メインアーム２１及びサブアーム２２に連動して動作する上弧状板２３及び下弧状板２４と、を含む。下弧状板２４には、複数の位置規制ピン２４２を有する溝部２４１が形成され、上弧状板２３と下弧状板２４との間には、弾性弧状パッドを有する挟持メイン部材２５が配設されている。挟持メイン部材２５の頂面の中央部分に近接した箇所には、Ｖ字状溝の押圧縁２５１が形成されている。押圧縁２５１の両側にはそれぞれ高めの前ガイド弧状面２５２と、低めの後ガイド弧状面２５３と、が段差状に形成されている。前ガイド弧状面２５２及び後ガイド弧状面２５３の両外側縁には水平に延びた当接縁２５２１，２５３１が延設され、かつ、挟持メイン部材２５の底部には、複数の位置規制溝２５５を底面に有する水平枢着部２５４が設けられ、挟持メイン部材２５が下弧状板２４の溝部２４１中に設置され、枢着部２５４の位置規制溝２５５と溝部２４１の位置規制ピン２４２とが互いに位置規制されて係合されるとともに、前ガイド弧状面２５２及び後ガイド弧状面２５３の２つの当接縁２５２１，２５３１が溝部２４１の両側壁端に当接されると、挟持メイン部材２５が下弧状板２４の溝部２４１中に位置決めされ、かつ、上弧状板２３に対応する。
【０００６】
ビューラーのメインアーム２１及びサブアーム２２を握持し、まつ毛に近づけて上弧状板２３及び下弧状板２４によりまつ毛Ａを挟んでカール状に形成する際、図６に示すように、メインアーム２１及びサブアーム２２を操作して下弧状板２４に力を加えて押動すると上方へ移動し、挟持メイン部材２５の頂部の中央部にＶ字状溝である押圧縁２５１が下弧状板２４により押動されて上弧状板２３へ向かって移動し、Ｖ字状溝の押圧縁２５１と下弧状板２４との間に、まつ毛Ａの中段部Ａ１がスピーディーに１回で位置合わせされるとともに、前端部Ａ２及び後端部Ａ３と、がそれぞれ前ガイド弧状面２５２及び後ガイド弧状面２５３に弧状に貼り合わされ、前ガイド弧状面２５２及び後ガイド弧状面２５３により前部が高くて後部が低い形状が形成され、力を加えて挟むと前ガイド弧状面２５２及び後ガイド弧状面２５３が自然に頂部に向かう中央Ｖ字状溝の押圧縁２５１内で圧縮され、高めの前ガイド弧状面２５２は、力を受ける支持面を有し、低めの後ガイド弧状面２５３は、補助支持面を有し、まつ毛Ａの中段部Ａ１がＶ字状溝の押圧縁２５１と下弧状板２４との間に挟まれた後、まつ毛の根元が挟まれて圧力が加えられても押し潰されることを防ぎ、不用意な操作によりまつ毛の根元が挟まれて引っ張られる虞もない。即ち、まつ毛の所望の位置を１回でスピーディーにカール状に形成することにより（図７参照）、まつ毛の根元から中央部分にかけて自然にカールした形状に形成することができる。このように本考案のビューラー構造は、何度も繰り返してまつ毛を挟まなくとも１回で簡単に美しい形状にまつ毛をカール状に形成することができる。
【符号の説明】
【０００７】
１０  ビューラー
１１  メインアーム
１２  サブアーム
１３  上弧状板
１４  下弧状板
１５  挟持メイン部材
２０  ビューラー
２１  メインアーム
２２  サブアーム
２３  上弧状板
２４  下弧状板
２５  挟持メイン部材
１４１  溝部
１４２  位置規制ピン
１５１  圧縁面
１５２  枢着部
１５３  位置規制溝
２４１  溝部
２４２  位置規制ピン
２５１  押圧縁
２５２  前ガイド弧状面
２５３  後ガイド弧状面
２５４  枢着部
２５５  位置規制溝
２５２１  当接縁
２５３１  当接縁
Ａ  まつ毛
Ａ１  中段部
Ａ２  前端部
Ａ３  後端部
【図１】
0003195063.tif 000003
【図１−１】
0003195063.tif 000004
【図２】
0003195063.tif 000005
【図３】
0003195063.tif 000006
【図４】
0003195063.tif 000007
【図５】
0003195063.tif 000008
【図６】
0003195063.tif 000009
【図７】
0003195063.tif 000010